(57)【要約】【課題】  回転ドラム上に搭載されたロータリートランスにおいて、信号クロストークを増加させることなく、多チャンネル化を可能とした回転磁気ヘッド型記録再生装置を提供する。【解決手段】  ロータリートランス２０は、記録用信号が伝送される記録信号用チャンネル７と、再生時にのみ選択される再生用磁気ヘッドの出力信号が伝送される再生信号用チャンネル８０１と、記録時および再生時に選択される再生信号用チャンネル８０２とを有する。記録時には、再生時にのみ選択される再生用磁気ヘッドの出力信号が伝送される再生アンプ４０１の出力バッファ回路１８をオフする。【選択図】図１
2005190601.tif 000002
【特許請求の範囲】
【請求項１】
記録用磁気ヘッド、第１の再生用磁気ヘッド、第２の再生用磁気ヘッド、該第１、第２の再生用磁気ヘッドの出力信号をそれぞれ増幅する第１、第２の再生増幅回路を搭載した回転ドラムと、該回転ドラムとの間で信号伝送を行うロータリートランスを備え、磁気テープに信号の記録再生を行なう回転磁気ヘッド型記録再生装置において、
前記記録用磁気ヘッドにて信号を記録するとともに、該記録された信号を即時前記第１の再生用磁気ヘッドにて再生する記録モードと、記録済みの磁気テープから前記第１および第２の再生用磁気ヘッドにて信号を再生する再生モードと、を有し、
前記ロータリートランスには、前記記録用磁気ヘッドに信号を伝送する記録用チャンネルと、前記第１の再生用磁気ヘッドの出力信号を前記第１の再生増幅回路で増幅した再生用信号を伝送する第１の再生用チャンネルと、前記第２の再生用磁気ヘッドの出力信号を前記第２の再生増幅回路で増幅した再生用信号を伝送する第２の再生用チャンネルとを有し、
前記記録モードでは、前記第２の再生用磁気ヘッドの出力信号を増幅する前記第２の再生増幅回路の動作をオフすることを特徴とする回転磁気ヘッド型記録再生装置。
【請求項２】
請求項１に記載の回転磁気ヘッド型記録再生装置において、
前記第２の再生増幅回路は前置増幅回路と出力バッファ回路で構成され、
前記記録モードでは、前記出力バッファ回路の動作をオフすることを特徴とする回転磁気ヘッド型記録再生装置。
【請求項３】
請求項１または２に記載の回転磁気ヘッド型記録再生装置において、
前記記録モードでは、前記第２の再生用磁気ヘッドの出力信号を伝送する前記第２の再生用チャンネルを電気的にショートすることを特徴とする回転磁気ヘッド型記録再生装置。
【請求項４】
請求項１ないし３のいずれか１項に記載の回転磁気ヘッド型記録再生装置において、
前記ロータリートランスは、前記記録用チャンネルと前記第１の再生用チャンネルとが隣接しないように配置されていることを特徴とする回転磁気ヘッド型記録再生装置。
【請求項５】
請求項１ないし３のいずれか１項に記載の回転磁気ヘッド型記録再生装置において、
前記ロータリートランスは、前記第２の再生用チャンネルが前記記録用チャンネルと前記第１の再生用チャンネルとの間に配置されていることを特徴とする回転磁気ヘッド型記録再生装置。
【発明の詳細な説明】
【技術分野】
【０００１】
本発明は、回転ドラム上に複数個の記録ヘッド、再生ヘッド、および記録再生集積回路を搭載し、ロータリートランスにて多チャンネルの信号を伝送する回転磁気ヘッド型記録再生装置に関する。
【背景技術】
【０００２】
近年、磁気テープを使用した回転ヘッド型の高密度記録再生装置においては、高転送レート化を図るために回転ドラム上に搭載する記録ヘッド、再生ヘッドの総数を増す傾向にある。また大容量化という目的に対しては、磁気抵抗効果型ヘッド（以下ＭＲヘッド）を採用し、線記録密度を上げる方法が検討されている。
【０００３】
ＭＲヘッドは、記録媒体である磁気テープ、磁気ディスクから入力する磁気情報信号を抵抗変化で検出するため、検出用の電流（センス電流）の供給が必要となる。また、この抵抗変化は入力磁界に対して非線形特性を持つため、ＭＲヘッドの動作点を直線性の良い領域に制御するバイアス電流が必要となる。近年のＭＲヘッドはこれらの電流（以下合わせて、バイアス電流と記す）を併用するように設計されている。
【０００４】
この高感度特性をもつＭＲヘッドは、ハードディスク装置、リニアドライブテープ装置に代表される高密度磁気記録再生装置に広く採用されているが、回転ヘッド型の磁気記録再生装置においては、回転ドラム上に搭載するＭＲヘッドにバイアス電流の供給および制御が必要となるため、まだ本格的な実用化は進んでいない状況にある。
【０００５】
回転側への電源供給に関しては、複数チャンネルで構成されるロータリートランス内に設けた電源用トランスにより、電力伝送を行う方法が取られるようになってきた。しかし、この電源用トランスは信号用トランスに近接して配置されるため、大振幅スイッチングによる電源スイッチングノイズが微弱信号伝送を行うチャンネルに飛び込み、系のエラーレートを悪化させるという問題を生じる。したがって両ロータリートランス間にショートリングを挿入して、電源用ロータリートランスから信号ロータリートランスへのクロストーク低減が行われる（たとえば特許文献１参照）。
【０００６】
【特許文献１】特開平１０−２３３０１３公報（第６〜７頁、図７）
【発明の開示】
【発明が解決しようとする課題】
【０００７】
一方、高転送レート化を図るためにヘッドの多チャンネル化を実現するためには、使用するロータリートランスの溝数（チャンネル数）を増す必要があるが、この場合チャンネル間の距離が十分に取れなくなり、信号ロータリートランス内のチャンネル間クロストーク増加が問題となる。特に、テープストリーマ装置などの同時記録再生機能を有した回転ヘッド型の磁気記録再生装置においては、記録信号と再生信号が同時にロータリートランス内を伝送されることになるため、記録信号から再生信号へ、または１チャンネルの再生信号が他チャンネルの再生信号へ飛び込み、系のエラーレートを悪化させる可能性がある。このクロストークを低減するために、各チャンネル間に前述したショートリングを挿入するが、ロータリートランスは回転ドラムに内蔵されるため、外径、内径ともに制限を受け、伝送チャンネル数が増し、必要ショートリング数が増すほど製作が困難となってくる。
【０００８】
本発明の目的は、回転ドラム上に搭載されたロータリートランスにおいて、信号クロストークを増加させることなく、多チャンネル化を可能とした回転磁気ヘッド型装置を提供することにある。
【課題を解決するための手段】
【０００９】
上記目的を達成するため、本発明の回転磁気ヘッド型記録再生装置は、記録用磁気ヘッド、第１の再生用磁気ヘッド、第２の再生用磁気ヘッド、該第１、第２の再生用磁気ヘッドの出力信号をそれぞれ増幅する第１、第２の再生増幅回路を搭載した回転ドラムと、該回転ドラムとの間で信号伝送を行うロータリートランスを備え、前記記録用磁気ヘッドにて信号を記録するとともに、該記録された信号を即時前記第１の再生用磁気ヘッドにて再生する記録モードと、記録済みの磁気テープから前記第１および第２の再生用磁気ヘッドにて信号を再生する再生モードとを有する。前記ロータリートランスには、前記記録用磁気ヘッドに信号を伝送する記録用チャンネルと、前記第１の再生用磁気ヘッドの出力信号を前記第１の再生増幅回路で増幅した再生用信号を伝送する第１の再生用チャンネルと、前記第２の再生用磁気ヘッドの出力信号を前記第２の再生増幅回路で増幅した再生用信号を伝送する第２の再生用チャンネルとを有する。前記記録モードでは、前記第２の再生用磁気ヘッドの出力信号を増幅する前記第２の再生増幅回路の動作をオフするようにした。
【００１０】
また前記第２の再生増幅回路は前置増幅回路と出力バッファ回路で構成され、前記記録モードでは、前記出力バッファ回路の動作をオフするようにした。
【００１１】
また前記記録モードでは、前記第２の再生用磁気ヘッドの出力信号を伝送する前記第２の再生用チャンネルを電気的にショートするようにした。
【００１２】
また前記ロータリートランスは、前記記録用チャンネルと前記第１の再生用チャンネルとが隣接しないように配置する。
【００１３】
また前記ロータリートランスは、前記第２の再生用チャンネルが前記記録用チャンネルと前記第１の再生用チャンネルとの間に配置する。
【発明の効果】
【００１４】
本発明によれば、多チャンネル化に好適に対応できる回転磁気ヘッド型記録再生装置を提供することができる。
【発明を実施するための最良の形態】
【００１５】
以下、本発明の各実施例を詳細に説明する。
【実施例１】
【００１６】
図１は、本発明による回転磁気ヘッド型記録再生装置の一実施例を示すブロック図である。図１において、１は回転ドラムで、これには、記録ヘッド２０１，２０２、ＭＲヘッド３０１〜３０４、記録再生集積回路４０１，４０２、発振回路５、デコーダ回路６、出力バッファ回路１８、電源回路１６が搭載される。２０はロータリートランスで、記録信号用チャンネル７、再生信号用チャンネル８０１，８０２、制御信号用チャンネル１２、パワー用チャンネル１５、ショートリング１７１〜１７４を有する。固定側には、記録データ生成回路１１、再生系信号処理回路１０１，１０２、バッファアンプ９１，９２、制御データ生成回路１３、パワー信号発生回路１４を有する。
【００１７】
回転ドラム１上に１８０°対向で２個のＭＲヘッド３０１，３０２と２個のＭＲヘッド３０３，３０４が取り付けられており、ドラム回転方向に概略１８０°巻き付けられた磁気テープ（図示せず）に記録された信号を読み取る。記録ヘッドはアジマス角度＋Ａｚの記録ヘッド２０１、アジマス角度−Ａｚの記録ヘッド２０２を１８０°対向で配置し、さらに記録ヘッド２０１、記録ヘッド２０２、アジマス角度＋ＡｚのＭＲヘッド３０１，３０２、アジマス角度−ＡｚのＭＲヘッド３０３，３０４をそれぞれ９０°間隔で配置している。
【００１８】
図２は、本実施例で使用するＭＲヘッドのテープ摺動面側から見たヘッド配置の一例を示す。図２において、２個のＭＲヘッド３０１，３０２はアジマス角度＋Ａｚを与えられて２列に並べられ、同様に２個のＭＲヘッド３０３，３０４はアジマス角度−Ａｚを与えられて２列に並べられた２層マルチギャップ（マルチトラックヘッド）構造となっている（以下、複数のヘッドを１チップ上に構成したものをヘッドアセンブリと記す）。
【００１９】
このように１チップ上に薄膜プロセスで形成された２個のＭＲヘッド３０１，３０２は、数１０μｍ〜数１００μｍの近接した位置に配置されるため、ＭＲ素子深さ（ＭＲハイト）の値を等しく加工でき、両ヘッドともほとんど同一の磁気特性を持たせることができる。これはＭＲヘッド３０３，３０４で構成されるヘッドアセンブリについても同様である。
【００２０】
図３に本実施例で使用する記録ヘッドのテープ摺動面から見たヘッド配置の一例を示す。図３の記録ヘッドは薄膜プロセスで生成され、記録ヘッド２０１はアジマス角度＋Ａｚを与えられ、記録ヘッド２０２はアジマス角度−Ａｚを与えられている。
【００２１】
本構成では、記録再生集積回路４０１，４０２、デコーダ回路６などの回路部品が回転側に搭載されるために、電源回路１６を回転ドラム１上に設ける。電源回路１６は、整流回路、電圧安定化回路より構成し、パワー用チャンネル１５を介して伝送されるパワー信号発生回路１４の出力交流信号から、所望の直流電圧を得る動作を行う。
【００２２】
図１において、記録再生集積回路４０１，４０２はそれぞれ２チャンネルの記録回路およびＭＲヘッド用の２チャンネルの再生アンプを備え、Ｄａｔａ、Ｃｌｏｃｋ、ＣＳ（Ｃｈｉｐ  ｓｅｌｅｃｔ）、Ｒ／Ｗ（記録再生切換）の４本の制御ラインで動作モードが制御される。制御機能はたとえば、ヘッド（アンプ）切換スイッチ、ＭＲヘッドバイアス電流設定、再生アンプゲイン設定、ＭＲヘッド特有のサーマルアスペリティノイズ（ＴＡ：Ｔｈｅｒｍａｌ Ａｓｐｅｒｉｔｙ ｎｏｉｓｅ）の検出、補正、記録電流値の設定などであり、あらかじめその機能に対応するレジスタを選択して制御データを書き込み、その動作状態、値を決定する。
【００２３】
これらの制御用データは制御データ生成回路１３によって生成され、制御信号用チャンネル１２を介してデコーダ回路６に伝送される。デコーダ回路６では、この情報データに対する記録再生集積回路４０１，４０２用の制御データを再び生成し、上記４種の制御ラインによって制御する。これらのデータ出力信号はデコーダ回路６に接続された発振回路５の発振クロックで生成される。発振回路５の発振周波数は、使用する記録再生集積回路４０１，４０２の種類、数によっても異なるが、およそ２０〜４０ＭＨｚを選択する。本構成により、回転ドラム１上に搭載された各ＭＲヘッド３０１〜３０４のバイアス電流値を各ヘッド独立して固定側から可変、調整することができる。また、同様に記録ヘッド２０１〜２０２の記録電流値を固定側から可変、調整できる。
【００２４】
記録時には、記録データ生成回路１１から出力されたデータ信号は、記録データ用チャンネル７、Ｒ／Ｗラインを経由し、記録モードに設定された記録再生集積回路４０１、記録ヘッド２０１，２０２により＋アジマス、−アジマスデータトラックが磁気テープ上に記録される。この時、ＭＲヘッド３０２は記録ヘッド２０１で記録された＋アジマスデータトラックを、ＭＲヘッド３０４は記録ヘッド２０２で記録された−アジマスデータトラックを即時再生し、記録データの信頼性を高める動作（チェックアフターライト機能）を行う。そのため、記録ヘッド２０１，２０２に対してＭＲヘッド３０２，３０４のヘッド高さが調整されており、記録再生集積回路４０２を常に再生モードに設定している。以上は、ＭＲヘッド３０２，３０４を同時再生用ＭＲヘッドとして使用する例について説明したが、これはＭＲヘッド３０１，３０３の組み合わせであっても構わない。この場合は、ＭＲヘッド３０２，３０４を記録再生集積回路４０１に、ＭＲヘッド３０１，３０３を記録再生集積回路４０２に接続すればよい。
【００２５】
再生時には、記録再生集積回路４０１をＲ／Ｗラインによって再生モードに設定する。ＭＲヘッド３０１，３０２、および３０３，３０４のヘッドアセンブリは１８０°対向位置に設けられているため、ＭＲヘッド３０１（＋Ａｚアジマス）、３０３（−Ａｚアジマス）から再生された信号は、１８０°毎に交互に記録再生集積回路４０１で増幅され、出力バッファ回路１８を経て、再生信号用チャンネル８０１を介して、固定側のバッファアンプ９１、再生系信号処理回路１０１に伝送される。同時に、ＭＲヘッド３０２（＋Ａｚアジマス）、３０４（−Ａｚアジマス）から再生された信号は、記録再生集積回路４０２、再生信号用チャンネル８０２、バッファアンプ９２、再生系信号処理回路１０２に伝送される。バッファアンプ９１，９２は、ベース接地回路のような低入力インピーダンス回路で構成する。
【００２６】
この再生時には、記録時のテープ送り速度に対してわずかに遅いテープ速度（たとえば０．９５倍程度）に設定し、図２中Ａに示したＭＲヘッド３０１，３０２、および３０３，３０４の相互ヘッド高さ調整値を１トラックピッチ相当に設定し、またＭＲヘッドのトラック幅Ｂをトラックピッチの１．２〜１．５倍に選ぶことにより、特別なトラッキング制御を必要とせず、すべての記録データを４個のＭＲヘッドを使用して、読み取れることを可能としている（以下、この再生方法をノントラッキング方式と記す）。そのために２個の記録ヘッド２０１，２０２に対してＭＲヘッド３０１〜３０４は２倍の４個が必要となる。
【００２７】
図４は、本実施例に使用するロータリートランスの構造の一例を示す。７は記録データ用チャンネル、８０１，８０２は再生信号用チャンネル、１２は制御信号用チャンネル、１５はパワー用チャンネル、１７１〜１７４はショートリングである。
【００２８】
本実施例において、記録時には前述したようにチェックアフターライト再生用のＭＲヘッド３０２，３０４は記録ヘッド２０１，２０２と同時に動作する。そのため、これらの信号伝送に対応する記録用チャンネル７、再生信号用チャンネル８０２は互いの信号クロストークを防止するため、隣り合わないように配置する。
【００２９】
これに対し、再生時には前述したノントラッキング方式により、ＭＲヘッド３０１，３０２、ＭＲヘッド３０３，３０４が同時に動作するので、これらの信号伝送に対応する再生信号用チャンネル８０１，８０２もそれぞれ隣接しないように配置する。
【００３０】
たとえば直径４７ｍｍの回転ドラムを考えた場合、ロータリートランスに許される外径は４０ｍｍ程度で、そこに記録データ用１系統、再生信号用２系統、電源、制御信号用を各１系統、計５系統のロータリートランスを形成する必要があるが、本実施例では図１、図４に示したようにロータリートランスを配列している。すなわち、ロータリートランス２０には、チェックアフターライト時に同時に動作しない記録信号用チャンネル７と、再生時のみ動作するＭＲヘッド３０１，３０３の出力信号が伝送されるチャンネル８０１とを隣接して配置した。また、チェックアフターライト時に動作するＭＲヘッド３０２，３０４の再生信号用チャンネル８０２を記録信号用チャンネル７から離すため最内周に配置するとともに、再生時に同時に動作する再生信号用チャンネル８０１との間にショートリング１７１を設けた。その他、常に同時に動作する制御信号用チャンネル１２、パワー用チャンネル１５を外周側に設け、それぞれのチャンネル間にショートリング１７２，１７３を、また電源スイッチングノイズがロータリートランス２０の外側に漏れないようにショートリング１７４を配置した。
【００３１】
本構成により、ヘッド数が計６個の装置においてもチャンネル間クロストークが少なく、チャンネル間に挿入するショートリング数を４個、全溝数を９個にでき、装置の小型化、低コスト化が実現できる。
【００３２】
前述したように本実施例においては、再生時に再生信号用チャンネル８０１,８０２は信号レベル２００〜５００ｍＶｐ−ｐ程度の再生信号を同時に伝送するために、両チャンネルの間にショートリング１７１を設けて再生信号間のクロストークを低減している。通常外径４０ｍｍ程度のロータリートランスで、ショートリング１７１が無い場合には１０ＭＨｚ以下の低周波領域では５〜８ｄＢ、高周波領域では１５ｄＢ程度の減衰しか得られないが、ショートリング１７１の挿入により、低周波領域で６０〜７０ｄＢ、高周波領域で３５ｄＢ〜４０ｄＢの減衰、すなわち３５ｄＢのＤ／Ｕ（Ｄｅｓｉｒｅ／Ｕｎｄｅｓｉｒｅ）比を得ることができる。
【００３３】
次にチェックアフターライト時の動作について説明する。記録再生集積回路４０１は記録モードの設定になっており、記録信号用チャンネル７を介して伝送された記録データに対応する記録電流を記録ヘッド２０１，２０２に供給する。この時、記録再生集積回路４０１内部の再生アンプには記録信号のクロストークがあり、再生アンプの出力バッファ回路１８には再生アンプのダイナミックレンジで決まる大振幅のクロストーク信号が発生する。一般に記録再生集積回路４０１の出力ダイナミックレンジは２Ｖｐ−ｐ程度に設計されるので、再生信号用チャンネル８０１には通常の４倍（＋１２ｄＢ）の不要信号が入力することになり、再生信号用チャンネル８０２のＤ／Ｕ比は最悪２３ｄＢ程度になってエラーレートが悪化する可能性がある。
【００３４】
そこで図１に示したように、本実施例においてはチェックアフターライト時に記録再生集積回路４０１中の出力バッファ回路１８を、制御データ生成回路１３およびデコーダ回路６の動作によりオフ制御し、再生信号用チャンネル８０１に不要信号が入力しないようにして、再生信号用チャンネル８０２へのクロストークを低減する。この動作は基本的に出力バッファ回路１８の電源供給をオフにすることによって達成され、制御データ生成回路１３、デコーダ回路６によってチェックアフターライト時のみに出力バッファ回路１８の電源部をオフし、再生時や、テープの早送り、巻き戻し時には電源部をオンするよう制御される。
【００３５】
以上、本実施例により、チェックアフターライト時の再生信号レベルに対するクロストーク信号レベルを低減でき、系のエラーレート悪化を防ぐことができる。
【実施例２】
【００３６】
図５は、本発明による回転磁気ヘッド型記録再生装置の他の実施例を示す部分ブロック図である。本実施例は記録再生集積回路４０１の出力バッファ回路１８の電源部が外部よりオフ制御できない場合の例を示したもので、図５において１９は電圧電流変換回路、２１，２２はスイッチ回路、２３〜２７は抵抗、２８，２９はトランジスタである。抵抗２３〜２７、トランジスタ２８，２９からなる差動増幅器で構成される電圧電流変換回路１９は、記録再生集積回路４０１の出力バッファ回路１８の出力電圧を電流に変換して、後段の再生信号用チャンネル８０１を電流駆動する。ここでチェックアフターライト時に外部信号によって記録再生集積回路４０１の出力バッファ回路１８の電源部をオフできない場合、再生信号用チャンネル８０１にはトランスインダクタンスと電圧電流変換回路１９の供給電流によって振幅が定まる不要信号が発生することになる。そのため、本実施例ではデコーダ回路６の出力信号によりスイッチ回路２１，２２を制御して電圧電流変換回路１９の電源をオンオフする構成とし、チェックアフターライト時には、スイッチ回路２１，２２を開いて電圧電流変換回路１９に電源を供給しないようにした。その結果、記録再生集積回路４０１内の漏れ信号が再生信号用チャンネル８０１を伝送されないようにすることができる。本実施例により、クロストーク信号を増加させることなく、ショートリング１７１の効果で再生信号用チャンネル８０２を伝送する信号の必要Ｄ／Ｕ比を確保できる。
【００３７】
図５において、記録再生集積回路４０１の出力バッファ回路１８の出力をオフ制御できるならば、スイッチ回路２１，２２は不要であるが、電圧電流変換回路１９はそのまま再生信号用チャンネル８０１の駆動回路として使用してもよい。
【実施例３】
【００３８】
図６は、本発明による回転磁気ヘッド型記録再生装置の他の実施例を示すブロック図である。図６において図１と同一部品については同一番号で示し、３０，３１はスイッチ回路、３２はシステムコントロール回路である。図６では、再生信号用チャンネル８０１の固定側にスイッチ回路３０，３１を設け、チェックアフターライト時にスイッチ回路３０，３１をオンさせ、再生信号用チャンネル８０１を電気的にショートさせている。この結果、再生信号用チャンネル８０１はショートリングの効果をもち、記録データ用チャンネル７から再生信号用チャンネル８０２へのクロストークをさらに低減する。また他の効果として、チェックアフターライト時に記録データ用チャンネル７は、ショートされた再生信号用チャンネル８０１とショートリング１７２にはさまれた形となるため、インダクタンスが低下し、記録データ伝送における高周波領域の特性を改善することができる。これらのスイッチ回路３０，３１の動作はシステムコントロール回路３２によって制御される。なお、図６に示した実施例ではスイッチ回路３０，３１を再生信号用チャンネル８０１の固定側に設けたが、これは回転側に設けてもかまわない。この場合、スイッチ回路３０，３１はデコーダ回路６の出力信号で制御すればよい。
【００３９】
以上はロータリートランスとして平板型のものについて述べたが、これは同軸型であっても良い。また、記録ヘッドは薄膜ヘッド、再生ヘッドはＭＲヘッドで説明しているが、これらもそれぞれ従来のコイルヘッドを使用した実施例に適用してもかまわない。
【００４０】
以上、本実施例の出力バッファ回路オフ制御、ロータリートランスチャンネル配置およびチャンネルショート方法により、ヘッド数が増した装置においてもチャンネル間クロストークが少なく、チャンネル間に挿入するショートリング数を最小限にでき、装置の小型化、低コスト化が実現できる。
【図面の簡単な説明】
【００４１】
【図１】本発明による回転磁気ヘッド型記録再生装置の一実施例を示すブロック図。
【図２】図１におけるＭＲヘッドのヘッド配置の一例を示す図。
【図３】図１における記録ヘッドのヘッド配置の一例を示す図。
【図４】図１におけるロータリートランスの構造の一例を示す図。
【図５】本発明による回転磁気ヘッド型記録再生装置の他の実施例を示す部分ブロック図。
【図６】本発明による回転磁気ヘッド型記録再生装置の他の実施例を示すブロック図。
【符号の説明】
【００４２】
１…回転ドラム、２０１，２０２…記録ヘッド、３０１〜３０４…ＭＲヘッド、４０１，４０２…記録再生集積回路、５…発振回路、６…デコーダ回路、７…記録データ用チャンネル、８０１，８０２…再生信号用チャンネル、９１，９２…バッファアンプ、１０１，１０２…再生系信号処理回路、１１…記録データ生成回路、１２…制御信号用チャンネル、１３…制御データ生成回路、１４…パワー信号発生回路、１５…パワー用チャンネル、１６…電源回路、１７１〜１７４…ショートリング、１８…出力バッファ回路、１９…電圧電流変換回路、２０…ロータリートランス、２１，２２…スイッチ回路、２３〜２７…抵抗、２８，２９…トランジスタ、３０，３１…スイッチ回路、３２…システムコントロール回路。
【図１】
2005190601.tif 000003
【図２】
2005190601.tif 000004
【図３】
2005190601.tif 000005
【図４】
2005190601.tif 000006
【図５】
2005190601.tif 000007
【図６】
2005190601.tif 000008